(57)【特許請求の範囲】
【請求項１】
複数の入力スロット及び／または出力スロットを有し、各々の前記入力スロット及び／または出力スロットに、ビデオ信号，オーディオ信号，タイムコードを含む複数種類の信号のうちの１種類ずつを入力するとともに少なくとも２つの種類について互いに入力端子数の異なる複数種類の信号入力用基板及び／またはビデオ信号，オーディオ信号，タイムコードを含む複数種類の信号のうちの１種類ずつを出力するとともに少なくとも２つの種類について互いに出力端子数の異なる複数種類の信号出力用基板を抜き差し可能な信号処理システムにおいて、
前記複数の入力スロット及び／または出力スロットから、それぞれ当該スロットに差し込まれている前記信号入力用基板及び／または信号出力用基板に付与されている識別情報を取得する第１の処理手段と、
各々の種類の前記信号入力用基板及び／または信号出力用基板毎に、それぞれ前記複数の入力スロット及び／または出力スロットを有する仮想的な信号処理システムを想定し、各々の前記仮想的な信号処理システム毎に、前記複数の入力スロット及び／または出力スロットの番号順に連番で前記入力端子及び／または出力端子に端子番号を付すとともに、当該種類の基板が差し込まれている前記入力スロット及び／または出力スロットについての端子番号を有効な端子番号として扱い、当該種類の基板が差し込まれていない前記入力スロット及び／または出力スロットについての端子番号を無効な端子番号として扱う第２の処理手段と、
各々の種類の前記信号入力用基板及び／または信号出力用基板に対応して、当該システム全体よりも入力端子数及び／または出力端子数の多い空間内における異なる端子番号の領域を示す情報を保持する第３の処理手段と、
入力信号及び／または出力信号を前記空間内の端子番号によって特定したコマンドを受信したことに基づき、前記第３の処理手段が保持する前記情報を用いて、当該特定された端子番号を、当該端子番号を含む領域に対応する種類の前記仮想的な信号処理システムの前記入力端子及び／または出力端子の端子番号に変換し、当該変換した端子番号が、前記第２の処理手段によって有効な端子番号として扱われているか否かを判断する第４の処理手段と
を備え、前記第４の処理手段によって有効な端子番号として扱われていると判断された場合にのみ、前記コマンドに応じた処理を実行する
信号処理システム。
【請求項２】
請求項１に記載の信号処理システムにおいて、
オーディオ信号用の前記信号入力用基板及び／または信号出力用基板には、
２本ずつの入力端子に入力したオーディオ信号が基板内で時分割多重化されて前記入力スロットと接続するためのコネクタの１本ずつのピンから出力される第１の信号入力用基板及び／または前記出力スロットと接続するためのコネクタの各ピンに入力した時分割多重化されたオーディオ信号が基板内で２チャンネルのオーディオ信号に分離されてそれぞれ２本ずつの出力端子から出力される第１の信号出力用基板と、
各入力端子に入力したオーディオ信号がそれぞれ前記入力スロットと接続するためのコネクタの別々のピンから出力される第２の信号入力用基板及び／または前記出力スロットと接続するためのコネクタの各ピンに入力したオーディオ信号がそれぞれ別々の出力端子から出力される第２の信号出力用基板と
の、互いに端子数の異なる２種類の信号入力用基板及び／または信号出力用基板が存在しており、
前記第２の処理手段は、オーディオ信号用の前記信号入力用基板及び／または信号出力用基板について想定した前記仮想的な信号処理システムに関しては、前記第１の信号入力用基板及び／または信号出力用基板の端子数を基準にして端子番号を付すとともに、前記第２の信号入力用基板及び／または信号出力用基板については、端子数が不足している部分の端子番号を欠番として扱い、
前記第４の処理手段は、前記変換した端子番号が、前記第２の処理手段によって有効な端子番号として扱われているか否かの判断及び欠番として扱われているか否かの判断を行い、
前記第４の処理手段によって有効な端子番号として扱われており且つ欠番として扱われていないと判断された場合にのみ、前記コマンドに応じた処理を実行する
信号処理システム。
【請求項３】
複数の入力スロット及び／または出力スロットを有し、各々の前記入力スロット及び／または出力スロットに、ビデオ信号，オーディオ信号，タイムコードを含む複数種類の信号のうちの１種類ずつを入力するとともに少なくとも２つの種類について互いに入力端子数の異なる複数種類の信号入力用基板及び／またはビデオ信号，オーディオ信号，タイムコードを含む複数種類の信号のうちの１種類ずつを出力するとともに少なくとも２つの種類について互いに出力端子数の異なる複数種類の信号出力用基板を抜き差し可能な信号処理システムにおける端子番号の管理方法において、
前記信号処理システム内に設けられた制御手段が、前記複数の入力スロット及び／または出力スロットから、それぞれ当該スロットに差し込まれている前記信号入力用基板及び／または信号出力用基板に付与されている識別情報を取得する第１のステップと、
前記制御手段が、各々の種類の前記信号入力用基板及び／または信号出力用基板毎に、それぞれ前記複数の入力スロット及び／または出力スロットを有する仮想的な信号処理システムを想定し、各々の前記仮想的な信号処理システム毎に、前記複数の入力スロット及び／または出力スロットの番号順に連番で前記入力端子及び／または出力端子に端子番号を付すとともに、当該種類の基板が差し込まれている前記入力スロット及び／または出力スロットについての端子番号を有効な端子番号として扱い、当該種類の基板が差し込まれていない前記入力スロット及び／または出力スロットについての端子番号を無効な端子番号として扱う第２のステップと、
前記制御手段が、各々の種類の前記信号入力用基板及び／または信号出力用基板に対応して、当該システム全体よりも入力端子数及び／または出力端子数の多い空間内における異なる端子番号の領域を示す情報を保持する第３のステップと、
前記制御手段が、入力信号及び／または出力信号を前記空間内の端子番号によって特定したコマンドを受信したことに基づき、前記第３のステップで保持した前記情報を用いて、当該特定された端子番号を、当該端子番号を含む領域に対応する種類の前記仮想的な信号処理システムの前記入力端子及び／または出力端子の端子番号に変換し、当該変換した端子番号が、前記第２のステップで有効な端子番号として扱われているか否かを判断する第４のステップと、
前記制御手段が、前記第４のステップで有効な端子番号として扱われていると判断された場合にのみ、前記コマンドに応じた処理を実行する第５のステップとを有する
信号処理システムにおける端子番号の管理方法。
【請求項４】
請求項３に記載の信号処理システムにおける端子番号の管理方法において、
オーディオ信号用の前記信号入力用基板及び／または信号出力用基板には、
２本ずつの入力端子に入力したオーディオ信号が基板内で時分割多重化されて前記入力スロットと接続するためのコネクタの１本ずつのピンから出力される第１の信号入力用基板及び／または前記出力スロットと接続するためのコネクタの各ピンに入力した時分割多重化されたオーディオ信号が基板内で２チャンネルのオーディオ信号に分離されてそれぞれ２本ずつの出力端子から出力される第１の信号出力用基板と、
各入力端子に入力したオーディオ信号がそれぞれ前記入力スロットと接続するためのコネクタの別々のピンから出力される第２の信号入力用基板及び／または前記出力スロットと接続するためのコネクタの各ピンに入力したオーディオ信号がそれぞれ別々の出力端子から出力される第２の信号出力用基板と
の、互いに端子数の異なる２種類の信号入力用基板及び／または信号出力用基板が存在しており、
前記第２のステップでは、オーディオ信号用の前記信号入力用基板及び／または信号出力用基板について想定した前記仮想的な信号処理システムに関しては、前記第１の信号入力用基板及び／または信号出力用基板の端子数を基準にして端子番号を付すとともに、前記第２の信号入力用基板及び／または信号出力用基板については、端子数が不足している部分の端子番号を欠番として扱い、
前記第４のステップでは、前記変換した端子番号が、前記第２のステップで有効な端子番号として扱われているか否かの判断及び欠番として扱われているか否かの判断を行い、
前記第５のステップでは、前記第４のステップで有効な端子番号として扱われており且つ欠番として扱われていないと判断された場合にのみ、前記コマンドに応じた処理を実行する
信号処理システムにおける端子番号の管理方法。
【請求項５】
入力スロット，出力スロットをそれぞれ複数有し、各々の前記入力スロット，出力スロットに、ビデオ信号，オーディオ信号，タイムコードを含む複数種類の信号のうちの１種類ずつを入力するとともに少なくとも２つの種類について互いに入力端子数が異なる複数種類の信号入力用基板と、ビデオ信号，オーディオ信号，タイムコードを含む前記複数種類の信号のうちの１種類ずつを出力するとともに少なくとも２つの種類について互いに出力端子数が異なる前記複数種類の信号出力用基板とをそれぞれ抜き差し可能なルーティングスイッチャにおいて、
前記複数の入力スロット，出力スロットから、それぞれ当該スロットに差し込まれている前記信号入力用基板，信号出力用基板に付与されている識別情報を取得する第１の処理手段と、
各々の種類の前記信号入力用基板及び信号出力用基板毎に、それぞれ前記複数の入力スロット及び出力スロットを有する仮想的なルーティングスイッチャを想定し、各々の前記仮想的なルーティングスイッチャ毎に、前記複数の入力スロットの番号順に連番で前記入力端子に端子番号を付すとともに、当該種類の信号入力用基板が差し込まれている入力スロットについての端子番号を有効な端子番号として扱い、当該種類の信号入力用基板が差し込まれていないスロットについての端子番号を無効な端子番号として扱う処理と、前記複数の出力スロットの番号順に連番で前記出力端子に端子番号を付すとともに、当該種類の信号出力用基板が差し込まれている出力スロットについての端子番号を有効な端子番号として扱い、当該種類の信号出力用基板が差し込まれていないスロットについての端子番号を無効な端子番号として扱う処理とを行う第２の処理手段と、
各々の種類の前記信号入力用基板，信号出力用基板に対応して、当該ルーティングスイッチャ全体よりも入力端子数及び出力端子数の多い空間内における異なる端子番号の領域を示す情報を保持する第３の処理手段と、
入力信号，出力信号を前記空間内の端子番号によって特定したコマンドを受信したことに基づき、前記第３の処理手段が保持する前記情報を用いて、当該特定された端子番号を、当該端子番号を含む領域に対応する種類の前記仮想的なルーティングスイッチャの前記入力端子，出力端子の端子番号にそれぞれ変換し、当該変換した端子番号が、前記第２の処理手段によって有効な端子番号として扱われているか否かを判断する第４の処理手段と
を備え、前記第４の処理手段によって有効な端子番号として扱われていると判断された場合にのみ、前記コマンドに応じた処理を実行する
ルーティングスイッチャ。
【請求項６】
請求項５に記載のルーティングスイッチャにおいて、
オーディオ信号用の前記信号入力用基板及び信号出力用基板には、
２本ずつの入力端子に入力したオーディオ信号が基板内で時分割多重化されて前記入力スロットと接続するためのコネクタの１本ずつのピンから出力される第１の信号入力用基板及び前記出力スロットと接続するためのコネクタの各ピンに入力した時分割多重化されたオーディオ信号が基板内で２チャンネルのオーディオ信号に分離されてそれぞれ２本ずつの出力端子から出力される第１の信号出力用基板と、
各入力端子に入力したオーディオ信号がそれぞれ前記入力スロットと接続するためのコネクタの別々のピンから出力される第２の信号入力用基板及び前記出力スロットと接続するためのコネクタの各ピンに入力したオーディオ信号がそれぞれ別々の出力端子から出力される第２の信号出力用基板と
の、互いに端子数の異なる２種類の信号入力用基板及び信号出力用基板が存在しており、
前記第２の処理手段は、オーディオ信号用の前記信号入力用基板及び信号出力用基板について想定した前記仮想的な信号処理システムに関しては、前記第１の信号入力用基板及び信号出力用基板の端子数を基準にして端子番号を付すとともに、前記第２の信号入力用基板及び信号出力用基板については、端子数が不足している部分の端子番号を欠番として扱い、
前記第４の処理手段は、前記変換した端子番号が、前記第２の処理手段によって有効な端子番号として扱われているか否かの判断及び欠番として扱われているか否かの判断を行い、
前記第４の処理手段によって有効な端子番号として扱われており且つ欠番として扱われていないと判断された場合にのみ、前記コマンドに応じた処理を実行する
ルーティングスイッチャ。
【請求項７】
入力スロット，出力スロットをそれぞれ複数有し、各々の前記入力スロット，出力スロットに、ビデオ信号，オーディオ信号，タイムコードを含む複数種類の信号のうちの１種類ずつを入力するとともに少なくとも２つの種類について互いに入力端子数が異なる複数種類の信号入力用基板と、ビデオ信号，オーディオ信号，タイムコードを含む前記複数種類の信号のうちの１種類ずつを出力するとともに少なくとも２つの種類について互いに出力端子数が異なる前記複数種類の信号出力用基板とをそれぞれ抜き差し可能なルーティングスイッチャにおける端子番号の管理方法において、
前記ルーティングスイッチャ内に設けられた制御手段が、前記複数の入力スロット，出力スロットから、それぞれ当該スロットに差し込まれている前記信号入力用基板，信号出力用基板に付与されている識別情報を取得する第１のステップと、
前記制御手段が、各々の種類の前記信号入力用基板及び信号出力用基板毎に、それぞれ前記複数の入力スロット及び出力スロットを有する仮想的なルーティングスイッチャを想定し、各々の前記仮想的なルーティングスイッチャ毎に、前記複数の入力スロットの番号順に連番で前記入力端子に端子番号を付すとともに、当該種類の信号入力用基板が差し込まれている入力スロットについての端子番号を有効な端子番号として扱い、当該種類の信号入力用基板が差し込まれていないスロットについての端子番号を無効な端子番号として扱う処理と、前記複数の出力スロットの番号順に連番で前記出力端子に端子番号を付すとともに、当該種類の信号出力用基板が差し込まれている出力スロットについての端子番号を有効な端子番号として扱い、当該種類の信号出力用基板が差し込まれていないスロットについての端子番号を無効な端子番号として扱う処理とを行う第２のステップと、
前記制御手段が、各々の種類の前記信号入力用基板，信号出力用基板に対応して、当該ルーティングスイッチャ全体よりも入力端子数及び出力端子数の多い空間内における異なる端子番号の領域を示す情報を保持する第３のステップと、
前記制御手段が、入力信号，出力信号を前記空間内の端子番号によって特定したコマンドを受信したことに基づき、前記第３のステップで保持した前記情報を用いて、当該特定された端子番号を、当該端子番号を含む領域に対応する種類の前記仮想的なルーティングスイッチャの前記入力端子，出力端子の端子番号にそれぞれ変換し、当該変換した端子番号が、前記第２のステップで有効な端子番号として扱われているか否かを判断する第４のステップと、
前記制御手段が、前記第４のステップで有効な端子番号として扱われていると判断された場合にのみ、前記コマンドに応じた処理を実行する第５のステップとを有する
ルーティングスイッチャにおける端子番号の管理方法。
【請求項８】
請求項７に記載のルーティングスイッチャにおける端子番号の管理方法において、
オーディオ信号用の前記信号入力用基板及び信号出力用基板には、
２本ずつの入力端子に入力したオーディオ信号が基板内で時分割多重化されて前記入力スロットと接続するためのコネクタの１本ずつのピンから出力される第１の信号入力用基板及び前記出力スロットと接続するためのコネクタの各ピンに入力した時分割多重化されたオーディオ信号が基板内で２チャンネルのオーディオ信号に分離されてそれぞれ２本ずつの出力端子から出力される第１の信号出力用基板と、
各入力端子に入力したオーディオ信号がそれぞれ前記入力スロットと接続するためのコネクタの別々のピンから出力される第２の信号入力用基板及び前記出力スロットと接続するためのコネクタの各ピンに入力したオーディオ信号がそれぞれ別々の出力端子から出力される第２の信号出力用基板と
の、互いに端子数の異なる２種類の信号入力用基板及び信号出力用基板が存在しており、
前記第２のステップでは、オーディオ信号用の前記信号入力用基板及び信号出力用基板について想定した前記仮想的な信号処理システムに関しては、前記第１の信号入力用基板及び信号出力用基板の端子数を基準にして端子番号を付すとともに、前記第２の信号入力用基板及び信号出力用基板については、端子数が不足している部分の端子番号を欠番として扱い、
前記第４のステップでは、前記変換した端子番号が、前記第２のステップで有効な端子番号として扱われているか否かの判断及び欠番として扱われているか否かの判断を行い、
前記第５のステップでは、前記第４のステップで有効な端子番号として扱われており且つ欠番として扱われていないと判断された場合にのみ、前記コマンドに応じた処理を実行する
ルーティングスイッチャにおける端子番号の管理方法。
【発明の詳細な説明】
【技術分野】
【０００１】  本発明は、複数のスロットに様々な入力端子数の信号入力用基板や様々な出力端子数の信号出力用基板が抜き差しされるシステム（例えばルーティングスイッチャ）に関する。
【背景技術】
【０００２】  放送局において番組の放送や収録を行う際には、スタジオ内や中継現場の多数のビデオカメラやマイクからのビデオ信号・オーディオ信号や、ＶＴＲで再生したビデオ信号・オーディオ信号等を、ルーティングスイッチャ（あるいはルーター）と呼ばれる信号切替装置に全て入力させ、どの入力信号をどの機器（番組送出装置，編集端末，ＶＴＲ等）に出力するかを、このルーターによって切り替えている（例えば、特許文献１参照）。【０００３】  従来、ルーターとしては、次のような異なる用途のものが複数台使用されていた。・ビデオ信号を入出力するもの（ビデオルーター）・オーディオ信号を入出力するもの（オーディオルーター）・ビデオ信号・オーディオ信号に付加するタイムコードを入出力するもの・機器を制御する信号を入出力するもの【０００４】  しかし、今日は、１台だけでビデオ信号，オーディオ信号，タイムコード等の様々な種類の信号を入出力できるようにしたルーター（「ハイブリッドルーター」とも呼ばれる）も登場している。【０００５】  これは、複数の入力スロット及び出力スロットを設け、各入力スロットに、ビデオ信号用の入力基板，オーディオ信号用の入力基板，タイムコード用の入力基板等のうちの任意の入力基板を抜き差したり、各出力スロットに、ビデオ信号用の出力基板，オーディオ信号用の出力基板，タイムコード用の出力基板等のうちの任意の出力基板を抜き差しできるようにしたものである。【０００６】
【特許文献１】特開２００４−１８６８９９号公報（段落００６７〜８１、図５）
【発明の開示】
【発明が解決しようとする課題】
【０００７】  こうしたルーターにおいて、個々の入力基板の入力端子数（入力スロットと接続するためのコネクタとは反対側の、ビデオカメラやマイク等から信号を入力する端子の数）や個々の出力基板の出力端子数（出力スロットと接続するためのコネクタとは反対側の、番組送出装置や編集端末等に信号を出力する端子の数）の決め方としては、信号の種類にかかわらず端子数を統一するというのも１つの方法である。【０００８】  しかし、例えばオーディオ信号はビデオ信号と比較して伝送帯域が狭くて済むので、オーディオ信号用の入力基板，出力基板の入力端子，出力端子の数をビデオ信号用の入力基板，出力基板よりも多くすれば、１台のルーターでより多くのチャンネルのオーディオ信号を入出力することができるようになる。【０００９】  ところが、このように信号の種類によって入力基板の入力端子数や出力基板の出力端子数を異ならせると、ルーター全体としての端子番号の管理（＝入出力信号のチャンネル番号の管理）に問題が生じる。【００１０】  すなわち、例えば、各入力スロットに差し込まれた入力基板の入力端子に入力スロットの番号順に連番で端子番号を付けたり、各出力スロットに差し込まれた出力基板の出力端子に出力スロットの番号順に連番で端子番号を付けていくと、図１に例示するように、いずれかのスロットの基板が別の種類の信号用の基板に交換されたときに、それ以降のスロットの端子番号が変化してしまう。【００１１】  図１（ａ）の状態では、スロット番号Ｎｏ．１，Ｎｏ．２の入力スロットにビデオ入力基板（端子数が１６本）が差し込まれており、スロット番号Ｎｏ．３，Ｎｏ．４の入力スロットにオーディオ入力基板（端子数が３２本）が差し込まれている。この状態では、スロット番号Ｎｏ．１の入力スロットのビデオ入力基板の入力端子に端子番号１〜１６が付与され、スロット番号Ｎｏ．２の入力スロットのビデオ入力基板の入力端子に端子番号１７〜３２が付与され、スロット番号Ｎｏ．３の入力スロットのオーディオ入力基板の入力端子に端子番号３３〜６４が付与され、スロット番号Ｎｏ．４の入力スロットのオーディオ入力基板の入力端子に端子番号６５〜９６が付与されることになる。【００１２】  図１（ｂ）の状態では、図１（ａ）の状態から、スロット番号Ｎｏ．２の入力スロットのビデオ入力基板がオーディオ入力基板に交換されている。この状態では、スロット番号Ｎｏ．２の入力スロットのオーディオ入力基板の入力端子の端子番号が１７〜４８になるので、スロット番号Ｎｏ．３の入力スロットのオーディオ入力基板の入力端子の端子番号が４９〜８０に変化し、スロット番号Ｎｏ．４の入力スロットのオーディオ入力基板の入力端子の端子番号が８１〜１１２に変化することになる。【００１３】  ルーターの使用時には、各スロットの入力基板の入力端子や出力基板の出力端子は、それぞれ特定の機器（ビデオカメラ，マイク，番組送出装置，編集端末等）に物理的に接続されている。そして、ルーターに対する切り替え指示のコマンドでは、切り替え対象の信号が入力端子や出力基板の端子番号に基づいて特定される。そのため、図１の例のように途中で端子番号が変化してしまうと、本来或る機器に出力しようとしていた���力信号を、当該機器に出力することができなくなってしまう。【００１４】  本発明は、上述の点に鑑み、このハイブリッドルーターのような、複数のスロットに入力端子数や出力端子数の異なる複数種類の信号入力用基板や信号出力用基板が抜き差しされるシステムにおいて、基板の交換に影響されることなく、システム全体として端子番号を管理して、本来の処理対象の信号を処理できるようにすることを課題とする。
【課題を解決するための手段】
【００１５】
上記課題を解決するため、本発明は、
複数の入力スロット及び／または出力スロットを有し、各々の前記入力スロット及び／または出力スロットに、ビデオ信号，オーディオ信号，タイムコードを含む複数種類の信号のうちの１種類ずつを入力するとともに少なくとも２つの種類について互いに入力端子数の異なる複数種類の信号入力用基板及び／またはビデオ信号，オーディオ信号，タイムコードを含む複数種類の信号のうちの１種類ずつを出力するとともに少なくとも２つの種類について互いに出力端子数の異なる複数種類の信号出力用基板を抜き差し可能な信号処理システムにおいて、
前記複数の入力スロット及び／または出力スロットから、それぞれ当該スロットに差し込まれている前記信号入力用基板及び／または信号出力用基板に付与されている識別情報を取得する第１の処理手段と、
各々の種類の前記信号入力用基板及び／または信号出力用基板毎に、それぞれ前記複数の入力スロット及び／または出力スロットを有する仮想的な信号処理システムを想定し、各々の前記仮想的な信号処理システム毎に、前記複数の入力スロット及び／または出力スロットの番号順に連番で前記入力端子及び／または出力端子に端子番号を付すとともに、当該種類の基板が差し込まれている前記入力スロット及び／または出力スロットについての端子番号を有効な端子番号として扱い、当該種類の基板が差し込まれていない前記入力スロット及び／または出力スロットについての端子番号を無効な端子番号として扱う第２の処理手段と、
各々の種類の前記信号入力用基板及び／または信号出力用基板に対応して、当該システム全体よりも入力端子数及び／または出力端子数の多い空間内における異なる端子番号の領域を示す情報を保持する第３の処理手段と、
入力信号及び／または出力信号を前記空間内の端子番号によって特定したコマンドを受信したことに基づき、前記第３の処理手段が保持する前記情報を用いて、当該特定された端子番号を、当該端子番号を含む領域に対応する種類の前記仮想的な信号処理システムの前記入力端子及び／または出力端子の端子番号に変換し、当該変換した端子番号が、前記第２の処理手段によって有効な端子番号として扱われているか否かを判断する第４の処理手段と
を備え、前記第４の処理手段によって有効な端子番号として扱われていると判断された場合にのみ、前記コマンドに応じた処理を実行することを特徴とする。
【００１６】
また本発明は、
複数の入力スロット及び／または出力スロットを有し、各々の前記入力スロット及び／または出力スロットに、ビデオ信号，オーディオ信号，タイムコードを含む複数種類の信号のうちの１種類ずつを入力するとともに少なくとも２つの種類について互いに入力端子数の異なる複数種類の信号入力用基板及び／またはビデオ信号，オーディオ信号，タイムコードを含む複数種類の信号のうちの１種類ずつを出力するとともに少なくとも２つの種類について互いに出力端子数の異なる複数種類の信号出力用基板を抜き差し可能な信号処理システムにおける端子番号の管理方法において、
前記信号処理システム内に設けられた制御手段が、前記複数の入力スロット及び／または出力スロットから、それぞれ当該スロットに差し込まれている前記信号入力用基板及び／または信号出力用基板に付与されている識別情報を取得する第１のステップと、
前記制御手段が、各々の種類の前記信号入力用基板及び／または信号出力用基板毎に、それぞれ前記複数の入力スロット及び／または出力スロットを有する仮想的な信号処理システムを想定し、各々の前記仮想的な信号処理システム毎に、前記複数の入力スロット及び／または出力スロットの番号順に連番で前記入力端子及び／または出力端子に端子番号を付すとともに、当該種類の基板が差し込まれている前記入力スロット及び／または出力スロットについての端子番号を有効な端子番号として扱い、当該種類の基板が差し込まれていない前記入力スロット及び／または出力スロットについての端子番号を無効な端子番号として扱う第２のステップと、
前記制御手段が、各々の種類の前記信号入力用基板及び／または信号出力用基板に対応して、当該システム全体よりも入力端子数及び／または出力端子数の多い空間内における異なる端子番号の領域を示す情報を保持する第３のステップと、
前記制御手段が、入力信号及び／または出力信号を前記空間内の端子番号によって特定したコマンドを受信したことに基づき、前記第３のステップで保持した前記情報を用いて、当該特定された端子番号を、当該端子番号を含む領域に対応する種類の前記仮想的な信号処理システムの前記入力端子及び／または出力端子の端子番号に変換し、当該変換した端子番号が、前記第２のステップで有効な端子番号として扱われているか否かを判断する第４のステップと、
前記制御手段が、前記第４のステップで有効な端子番号として扱われていると判断された場合にのみ、前記コマンドに応じた処理を実行する第５のステップとを有することを特徴とする。
【００１７】
上記発明に係る信号処理システム及びその端子番号の管理方法では、複数の入力スロットに、ビデオ信号，オーディオ信号，タイムコードを含む複数種類の信号のうちの１種類ずつを入力するとともに少なくとも２つの種類について互いに入力端子数の異なる複数種類の信号入力用基板が抜き差しされたり、複数の出力スロットに、ビデオ信号，オーディオ信号，タイムコードを含む複数種類の信号のうちの１種類ずつを出力するとともに少なくとも２つの種類について互いに出力端子数の異なる複数種類の信号出力用基板が抜き差しされるシステムにおいて、この複数の入力スロットや出力スロットから、それぞれ当該スロットに差し込まれている信号入力用基板や信号出力用基板に付与されている識別情報が取得される。そして、各種類の信号入力用基板や信号出力用基板毎に、それぞれこの複数の入力スロットや出力スロットを有する仮想的な信号処理システムが想定され、各仮想的な信号処理システム毎に、この複数の入力スロットや出力スロットの番号順に連番で入力端子や出力端子に端子番号が付されるとともに、当該種類の基板が差し込まれているスロットについての端子番号のみが有効な端子番号として扱われる。換言すれば、１つのシステム内に、各種類の基板毎に、独立した端子番号の体系を有するシステムが仮想的に設定される。
【００１８】  或るスロットに差し込まれている基板が別の種類の基板に交換された場合、これらの仮想システムでは、端子番号は変化することはなく、端子番号の有効／無効の扱いのみが変化する。したがって、このシステムでは、基板の交換によって端子番号が変化することはない。【００１９】  さらに、このシステムでは、各種類の基板に対応して（すなわち各仮想システムに対応して）、当該システム全体よりも入力端子数や出力端子数の多い空間内における異なる端子番号の領域を示す情報が保持される。したがって、各仮想システムの端子番号は、この空間内では、互いに重複することはない。【００２０】  そして、入力信号や出力信号をこの空間内の端子番号によって特定したコマンドを受信したことに基づき、この情報を用いて、当該特定された端子番号が、当該端子番号を含む領域に対応する仮想システムの端子番号に変換される。そして、当該変換された端子番号が、当該仮想システムにおいて有効な端子番号として扱われている場合（すなわち当該仮想システムにおける種類の基板が差し込まれているスロットについての端子番号である場合）にのみ、このコマンドに応じた処理が実行される。【００２１】  これにより、基板の交換に影響されることなく、システム全体として端子番号を管理して、本来の処理対象の信号を処理することができる。【００２２】
次に、本発明は、
入力スロット，出力スロットをそれぞれ複数有し、各々の前記入力スロット，出力スロットに、ビデオ信号，オーディオ信号，タイムコードを含む複数種類の信号のうちの１種類ずつを入力するとともに少なくとも２つの種類について互いに入力端子数が異なる複数種類の信号入力用基板と、ビデオ信号，オーディオ信号，タイムコードを含む前記複数種類の信号のうちの１種類ずつを出力するとともに少なくとも２つの種類について互いに出力端子数が異なる前記複数種類の信号出力用基板とをそれぞれ抜き差し可能なルーティングスイッチャにおいて、
前記複数の入力スロット，出力スロットから、それぞれ当該スロットに差し込まれている前記信号入力用基板，信号出力用基板に付与されている識別情報を取得する第１の処理手段と、
各々の種類の前記信号入力用基板及び信号出力用基板毎に、それぞれ前記複数の入力スロット及び出力スロットを有する仮想的なルーティングスイッチャを想定し、各々の前記仮想的なルーティングスイッチャ毎に、前記複数の入力スロットの番号順に連番で前記入力端子に端子番号を付すとともに、当該種類の信号入力用基板が差し込まれている入力スロットについての端子番号を有効な端子番号として扱い、当該種類の信号入力用基板が差し込まれていないスロットについての端子番号を無効な端子番号として扱う処理と、前記複数の出力スロットの番号順に連番で前記出力端子に端子番号を付すとともに、当該種類の信号出力用基板が差し込まれている出力スロットについての端子番号を有効な端子番号として扱い、当該種類の信号出力用基板が差し込まれていないスロットについての端子番号を無効な端子番号として扱う処理とを行う第２の処理手段と、
各々の種類の前記信号入力用基板，信号出力用基板に対応して、当該ルーティングスイッチャ全体よりも入力端子数及び出力端子数の多い空間内における異なる端子番号の領域を示す情報を保持する第３の処理手段と、
入力信号，出力信号を前記空間内の端子番号によって特定したコマンドを受信したことに基づき、前記第３の処理手段が保持する前記情報を用いて、当該特定された端子番号を、当該端子番号を含む領域に対応する種類の前記仮想的なルーティングスイッチャの前記入力端子，出力端子の端子番号にそれぞれ変換し、当該変換した端子番号が、前記第２の処理手段によって有効な端子番号として扱われているか否かを判断する第４の処理手段と
を備え、前記第４の処理手段によって有効な端子番号として扱われていると判断された場合にのみ、前記コマンドに応じた処理を実行することを特徴とする。
【００２３】
また本発明は、
入力スロット，出力スロットをそれぞれ複数有し、各々の前記入力スロット，出力スロットに、ビデオ信号，オーディオ信号，タイムコードを含む複数種類の信号のうちの１種類ずつを入力するとともに少なくとも２つの種類について互いに入力端子数が異なる複数種類の信号入力用基板と、ビデオ信号，オーディオ信号，タイムコードを含む前記複数種類の信号のうちの１種類ずつを出力するとともに少なくとも２つの種類について互いに出力端子数が異なる前記複数種類の信号出力用基板とをそれぞれ抜き差し可能なルーティングスイッチャにおける端子番号の管理方法において、
前記ルーティングスイッチャ内に設けられた制御手段が、前記複数の入力スロット，出力スロットから、それぞれ当該スロットに差し込まれている前記信号入力用基板，信号出力用基板に付与されている識別情報を取得する第１のステップと、
前記制御手段が、各々の種類の前記信号入力用基板及び信号出力用基板毎に、それぞれ前記複数の入力スロット及び出力スロットを有する仮想的なルーティングスイッチャを想定し、各々の前記仮想的なルーティングスイッチャ毎に、前記複数の入力スロットの番号順に連番で前記入力端子に端子番号を付すとともに、当該種類の信号入力用基板が差し込まれている入力スロットについての端子番号を有効な端子番号として扱い、当該種類の信号入力用基板が差し込まれていないスロットについての端子番号を無効な端子番号として扱う処理と、前記複数の出力スロットの番号順に連番で前記出力端子に端子番号を付すとともに、当該種類の信号出力用基板が差し込まれている出力スロットについての端子番号を有効な端子番号として扱い、当該種類の信号出力用基板が差し込まれていないスロットについての端子番号を無効な端子番号として扱う処理とを行う第２のステップと、
前記制御手段が、各々の種類の前記信号入力用基板，信号出力用基板に対応して、当該ルーティングスイッチャ全体よりも入力端子数及び出力端子数の多い空間内における異なる端子番号の領域を示す情報を保持する第３のステップと、
前記制御手段が、入力信号，出力信号を前記空間内の端子番号によって特定したコマンドを受信したことに基づき、前記第３のステップで保持した前記情報を用いて、当該特定された端子番号を、当該端子番号を含む領域に対応する種類の前記仮想的なルーティングスイッチャの前記入力端子，出力端子の端子番号にそれぞれ変換し、当該変換した端子番号が、前記第２のステップで有効な端子番号として扱われているか否かを判断する第４のステップと、
前記制御手段が、前記第４のステップで有効な端子番号として扱われていると判断された場合にのみ、前記コマンドに応じた処理を実行する第５のステップとを有することを特徴とする。
【００２４】
上記発明に係るルーティングスイッチャ及びその端子番号の管理方法は、前述の発明に係る信号処理システム及びその端子番号の管理方法を、ルーティングスイッチャ（ハイブリッドルーターであって、信号の種類によって信号入力用基板の入力端子数及び信号出力用基板の出力端子数を異ならせたもの）において具体化したものであり、信号入力用基板や信号出力用基板の交換に影響されることなく、ルーター全体として端子番号を管理して、本来或る機器に出力しようとしていた入力信号を当該機器に出力することができる。
【発明の効果】
【００２５】
本発明に係る信号処理システム及びその端子番号の管理方法によれば、複数の入力スロットに、ビデオ信号，オーディオ信号，タイムコードを含む複数種類の信号のうちの１種類ずつを入力するとともに少なくとも２つの種類について互いに入力端子数の異なる複数種類の信号入力用基板が抜き差しされたり、複数の出力スロットに、ビデオ信号，オーディオ信号，タイムコードを含む複数種類の信号のうちの１種類ずつを出力するとともに少なくとも２つの種類について互いに出力端子数の異なる複数種類の信号出力用基板が抜き差しされるシステムにおいて、基板の交換に影響されることなく、システム全体として端子番号を管理して、本来の処理対象の信号を処理することができる。
【００２６】
本発明に係るルーティングスイッチャ及びその端子番号の管理方法によれば、入力スロット，出力スロットをそれぞれ複数有し、各々の入力スロット，出力スロットに、ビデオ信号，オーディオ信号，タイムコードを含む複数種類の信号のうちの１種類ずつを入力するとともに少なくとも２つの種類について互いに入力端子数が異なる複数種類の信号入力用基板と、ビデオ信号，オーディオ信号，タイムコードを含む複数種類の信号のうちの１種類ずつを出力するとともに少なくとも２つの種類について互いに出力端子数が異なる複数種類の信号出力用基板とをそれぞれ抜き差し可能なルーティングスイッチャ（ハイブリッドルーターであって、信号の種類によって信号入力用基板の入力端子数及び信号入力用基板の出力端子数を異ならせたもの）において、信号入力用基板や信号出力用基板の交換に影響されることなく、ルーター全体として端子番号を管理して、本来或る機器に出力しようとしていた入力信号を当該機器に出力することができる。
【発明を実施するための最良の形態】
【００２７】  以下、本発明をルーティングスイッチャに適用した例について、図面を用いて具体的に説明する。図２は、本発明を適用したルーティングスイッチャを含む、放送局内のビデオ・オーディオ等の信号切替システムの全体構成例を示す図である。【００２８】  この信号切替システムでは、２台のルーティングスイッチャ１Ａ及び１Ｂと、コントロールパネル２と、２台のタリーパネル３Ａ及び３Ｂと、ターミナルコンピュータ４とが、例えばイーサネット（イーサネット：ｅｔｈｅｒｎｅｔは登録商標）のような通信路５で互いに接続されている。【００２９】  ルーティングスイッチャ１Ａとルーティングスイッチャ１Ｂとは、同一構成のものである。これらのルーティングスイッチャは、１次局６と、２次局であるルーター本体１とで構成された複合局である（「１次局」，「２次局」についてはすぐ後で説明する）。【００３０】  コントロールパネル２は、各ルーティングスイッチャ１Ａ，１Ｂを切り替え操作するための操作器であり、２次局である。【００３１】  タリーパネル３Ａ，３Ｂは、それぞれルーティングスイッチャ１Ａ，１Ｂにおける入出力信号の切り替え状態（例えば基準となる特定の入力信号線への入力信号が出力される出力信号線について設定された名称）を表示する表示器であり、２次局である。【００３２】  ターミナルコンピュータ４は、信号切替システム全体についての各種の設定操作を行うためのコンピュータである。【００３３】  ここで、１次局とは、ターミナルコンピュータ４からこの設定結果のデータを受信し、この設定結果のデータを２次局に送信したり、２次局との間でコマンドやデータを授受して、信号切替システム全体を管理する機器である。【００３４】  ２次局同士は、直接通信を行うことなく、１次局を介して互いにデータを授受する。すなわち、例えばコントロールパネル２でルーティングスイッチャ１Ａに対する切り替え操作が行われると、コントロールパネル２からは、その操作内容に応じたコマンドが１次局に送られる。そして、１次局からこのコマンドがルーティングスイッチャ１Ａのルーター本体１に送られることにより、ルーティングスイッチャ１Ａにおける入出力信号の切り替え状態が変化する。【００３５】  その後、ルーター本体１からは、この新たな切り替え状態を示すステータスが１次局に送られる。そして、１次局からこのステータスがタリーパネル３Ａに送られることにより、ルーティングスイッチャ１Ａにおける入出力信号の切り替え状態がタリーパネル３Ａに表示される。【００３６】  １つの信号切替システム内では、１次局は１台だけ使用される。そこで、この信号切替システムでは、例えばルーティングスイッチャ１Ａ内の１次局６が１次局として使用され、ルーティングスイッチャ１Ｂは２次局としてのみ使用（１次局６は使用されず、ルーター本体１のみが使用）される。【００３７】  図３は、各ルーティングスイッチャ１Ａ，１Ｂ内のルーター本体１の構成を示す図である（以下では、ルーター本体１を単に「ルーター１」とも呼ぶことにする）。ルーター１には、４個の入力スロット１１（スロット番号をＮｏ．１〜Ｎｏ．４とする）と、４個の出力スロット１２（スロット番号をＮｏ．１〜Ｎｏ．４とす��）と、マトリクススイッチ回路１３と、ＣＰＵ１４とが設けられている。【００３８】  各入力スロット１１は、次の４種類の基板のうちの任意の基板を抜き差しするためのスロットである。・ビデオ信号入力用の基板（以下、ビデオ入力基板と呼ぶ）・オーディオ信号入力用の基板（以下、オーディオ入力基板と呼ぶ）・ビデオ信号・オーディオ信号に付加するタイムコードを入力するための基板（以下、ＴＣ入力基板と呼ぶ）・ビデオ信号やオーディオ信号の出力先の機器を、シリアル通信規格の一種であるＲＳ−４２２によって制御するための基板（以下、ＲＳ−４２２基板と呼ぶ）【００３９】  図４は、これらの基板が有している端子やコネクタを略示する図である。ビデオ入力基板２１は、入力スロット１１と接続するためのコネクタ２２を有するとともに、その反対側に、ビデオカメラやＶＴＲ等からビデオ信号を入力するための入力端子２３を１６本有している。コネクタ２２には１６本のピンが設けられており、各入力端子２３に入力したビデオ信号がそれぞれコネクタ２２の別々のピンから出力される。【００４０】  オーディオ入力基板には、オーディオ入力基板３１，オーディオ入力基板（ＵＢ）３２という２種類の基板がある。オーディオ入力基板３１は、入力スロット１１と接続するためのコネクタ３３を有するとともに、その反対側に、ビデオカメラやマイク等からオーディオ信号を入力するためのＸＬＲタイプの入力端子３４を３２本有している。コネクタ３３には１６本のピンが設けられており、２本ずつの入力端子３４に入力したオーディオ信号が、オーディオ入力基板３１内で時分割多重化されて、コネクタ３３の１本ずつのピンから出力される。【００４１】  オーディオ入力基板（ＵＢ）３２は、入力スロット１１と接続するためのコネクタ３３（オーディオ入力基板３１のコネクタ３３と同一構成のもの）を有するとともに、その反対側に、ビデオカメラやマイク等からオーディオ信号を入力するためのＢＮＣタイプの入力端子３５を１６本有している。各入力端子３５に入力したオーディオ信号は、それぞれコネクタ３３の別々のピンから出力される。オーディオ入力基板（ＵＢ）３２の“（ＵＢ）”は、アンバランスタイプ（Un Balance）であるＢＮＣタイプの入力端子を用いているという意味である。【００４２】  ＴＣ入力基板４１は、入力スロット１１と接続するためのコネクタ４２を有するとともに、その反対側に、タイムコードを入力するための入力端子４３を１６本有している。コネクタ４２には１６本のピンが設けられており、各入力端子４３に入力したタイムコードがそれぞれコネクタ４２の別々のピンから出力される。【００４３】  ＲＳ−４２２基板５１は、入力スロット１１と接続するためのコネクタ５２を有するとともに、その反対側に、制御信号を入出力するための入出力端子５３を１６本有している。端子５３は、８本が入力端子であり、残りの８本が出力端子である。但し、基板と端子との配置上の関係等から、端子５３は、入力端子，出力端子がそれぞれ１本ずつ未使用とされ、７本ずつの入力端子，出力端子が使用可能になっている。【００４４】  コネクタ５２には１６本のピンが設けられており、８本が受信用のピン、残りの８本が送信用のピン��ある。使用可能な７本の入力端子５３に入力した信号は、それぞれコネクタ５２の別々の受信用ピンから出力される。コネクタ５２の送信用ピンのうちの７本のピンに入力した信号は、使用可能な７本の出力端子５３のうちの別々の端子から出力される。【００４５】  図３の各出力スロット１２は、次の４種類の基板のうちの任意の基板を抜き差しするためのスロットである。・ビデオ信号出力用の基板（以下、ビデオ出力基板と呼ぶ）・オーディオ信号出力用の基板（以下、オーディオ出力基板と呼ぶ）・タイムコードを出力するための基板（以下、ＴＣ出力基板と呼ぶ）・図４に示したＲＳ−４２２基板５１【００４６】  図５は、ビデオ出力基板，オーディオ出力基板，ＴＣ出力基板が有している端子やコネクタを略示する図である。ビデオ出力基板６１は、出力スロット１２と接続するためのコネクタ６２を有するとともに、その反対側に、番組送出装置や編集端末等にビデオ信号を出力するための出力端子６３を１６本有している。コネクタ６２には１６本のピンが設けられており、コネクタ６２の各ピンに入力したビデオ信号がそれぞれ別々の出力端子６３から出力される。【００４７】  オーディオ出力基板には、オーディオ出力基板７１，オーディオ出力基板（ＵＢ）７２という２種類の基板がある。オーディオ出力基板７１は、出力スロット１２と接続するためのコネクタ７３を有するとともに、その反対側に、番組送出装置や編集端末等にオーディオ信号を出力するためのＸＬＲタイプの出力端子７４を３２本有している。コネクタ７３には１６本のピンが設けられており、コネクタ７３の各ピンに入力したオーディオ信号（時分割多重化された信号）が、オーディオ出力基板７１内で２チャンネルのオーディオ信号に分離されて、それぞれ２本ずつの出力端子７４から出力される。【００４８】  オーディオ出力基板（ＵＢ）７２は、出力スロット１２と接続するためのコネクタ７３（オーディオ出力基板７１のコネクタ７３と同一構成のもの）を有するとともに、その反対側に、番組送出装置や編集端末等にオーディオ信号を出力するためのＢＮＣタイプの出力端子７５を１６本有している。コネクタ７３の各ピンに入力したオーディオ信号は、それぞれ別々の出力端子７５から出力される。オーディオ出力基板（ＵＢ）７２の“（ＵＢ）”は、アンバランスタイプであるＢＮＣタイプの入力端子を用いているという意味である。【００４９】  ＴＣ出力基板８１は、出力スロット１２と接続するためのコネクタ８２を有するとともに、その反対側に、タイムコードを出力するための出力端子８３を１６本有している。コネクタ８２には１６本のピンが設けられており、コネクタ８２の各ピンに入力したタイムコードがそれぞれ別々の出力端子８３から出力される。【００５０】  図３のマトリクススイッチ回路１３は、図６に示すように、単一の基板上に、６４本の入力信号線ＩＮ−１〜ＩＮ−６４と、６４本の出力信号線ＯＵＴ−１〜ＯＵＴ−６４とを交差させ、各交差箇所に、半導体素子から成る接続スイッチＳＷを設けたものである。【００５１】  入力信号線ＩＮ−１〜ＩＮ−６４のうち、入力信号線ＩＮ−１〜ＩＮ−１６には、スロット番号Ｎｏ．１の入力スロット１１に差し込まれた基板のコネクタ（図４に示したビデオ入力基板２１のコネクタ２２，オーディオ入力基板３１のコネクタ３３，オーディオ入力基板（ＵＢ）３２のコネクタ３３，ＴＣ入力基板４１のコネクタ４２，ＲＳ−４２２基板５１のコネクタ５２のうちのいずれか）の１６本のピンから出力された信号が入力される。【００５２】  入力信号線ＩＮ−１７〜ＩＮ−３２には、スロット番号Ｎｏ．２の入力スロット１１に差し込まれた基板のコネクタの１６本のピンから出力された信号が入力される。入力信号線ＩＮ−３３〜ＩＮ−４８には、スロット番号Ｎｏ．３の入力スロット１１に差し込まれた基板のコネクタの１６本のピンから出力された信号が入力される。入力信号線ＩＮ−４９〜ＩＮ−６４には、スロット番号Ｎｏ．４の入力スロット１１に差し込まれた基板のコネクタの１６本のピンから出力された信号が入力される。【００５３】  出力信号線ＯＵＴ−１〜ＯＵＴ−６４のうち、出力信号線ＯＵＴ−１〜ＯＵＴ−１６から出力された信号は、スロット番号Ｎｏ．１の出力スロット１２に差し込まれた基板のコネクタ（図５に示したビデオ出力基板６１のコネクタ６２，オーディオ出力基板７１のコネクタ７３，オーディオ出力基板（ＵＢ）７２のコネクタ７３，ＴＣ出力基板８１のコネクタ８２，図４に示したＲＳ−４２２基板５１のコネクタ５２のうちのいずれか）に入力される。【００５４】  出力信号線ＯＵＴ−１７〜ＯＵＴ−３２から出力された信号は、スロット番号Ｎｏ．２の出力スロット１２に差し込まれた基板のコネクタに入力される。出力信号線ＯＵＴ−３３〜ＯＵＴ−４８から出力された信号は、スロット番号Ｎｏ．３の出力スロット１２に差し込まれた基板のコネクタに入力される。出力信号線ＯＵＴ−４９〜ＯＵＴ−６４から出力された信号は、スロット番号Ｎｏ．４の出力スロット１２に差し込まれた基板のコネクタに入力される。【００５５】  図３のＣＰＵ１４は、１次局（図２のルーティングスイッチャ１Ａ内の１次局６）との間で前述の設定結果のデータやコマンドやステータスを授受しつつ、ルーター本体１全体を管理・制御する。各入力スロット１１，出力スロット１２からは、それぞれ当該スロットに差し込まれている基板の識別情報（ビデオ入力基板２１，オーディオ入力基板３１，オーディオ入力基板（ＵＢ）３２，ＴＣ入力基板４１，ＲＳ−４２２基板５１，ビデオ出力基板６１，オーディオ出力基板７１，オーディオ出力基板（ＵＢ）７２，ＴＣ出力基板８１にそれぞれ付与されているＩＤ）も取得する。【００５６】  本発明の特徴として、ＣＰＵ１４は、ルーター本体１の端子番号を、仮想ルーターの概念によって管理する処理を行う。以下、この処理の内容を、図７〜図１５を用いて説明する。【００５７】  〔端子番号の付与〕  最初に、端子番号の付与処理について説明する。ＣＰＵ１４は、ビデオ信号，オーディオ信号，タイムコード，ＲＳ−４２２規格の制御信号という４種類の信号を入出力する４種類の基板毎に、それぞれ４個の入力スロット１１，出力スロット１２を有する「ビデオルーター」，「オーディオルーター」，「ＴＣルーター」，「ＲＳルーター」という４台のルーターを仮想的に設定する。【００５８】  そして、この４種類の信号を入力する４種類の基板��入力スロット１１に抜き差しされるビデオ入力基板２１，オーディオ入力基板３１，オーディオ入力基板（ＵＢ）３２，ＴＣ入力基板４１，ＲＳ−４２２基板５１であるが、オーディオ入力基板３１とオーディオ入力基板（ＵＢ）３２とは、共にオーディオ信号を入力するものなので１種類の基板となる）について、各種類の基板毎（すなわち４台の仮想ルーター毎）に、入力スロット１１のスロット番号Ｎｏ．１〜Ｎｏ．４の順に連番で端子番号を付すとともに、当該種類の信号を入力するための基板が差し込まれているスロット番号の入力スロット１１についての端子番号を有効な端子番号として扱い、当該種類の信号を入力するための基板が差し込まれていないスロット番号の入力スロット１１についての端子番号を無効な端子番号として扱う。【００５９】  同様に、この４種類の信号を出力する４種類の基板（出力スロット１２に抜き差しされるビデオ出力基板６１，オーディオ出力基板７１，オーディオ出力基板（ＵＢ）７２，ＴＣ出力基板８１，ＲＳ−４２２基板５１であるが、オーディオ出力基板７１とオーディオ出力基板（ＵＢ）７２とは、共にオーディオ信号を出力するものなので１種類の基板となる）について、この４台の仮想ルーター毎に、出力スロット１２のスロット番号Ｎｏ．１〜Ｎｏ．４の順に連番で端子番号を付すとともに、当該種類の信号を出力するための基板が差し込まれているスロット番号の出力スロット１２についての端子番号を有効な端子番号として扱い、当該種類の信号を出力するための基板が差し込まれていないスロット番号の出力スロット１２についての端子番号を無効な端子番号として扱う。【００６０】  図７〜図１１は、この端子番号の付与処理を、入力スロット１１，出力スロット１２への具体的な基板の差し込み例に則して示す図である。この例では、図７の上段に示すように、スロット番号Ｎｏ．１，Ｎｏ．２の入力スロット１１にはそれぞれビデオ入力基板２１が差し込まれており、スロット番号Ｎｏ．３の入力スロット１１にはオーディオ入力基板３１が差し込まれており、スロット番号Ｎｏ．４の入力スロット１１にはＴＣ入力基板４１が差し込まれている。【００６１】  また、スロット番号Ｎｏ．１，Ｎｏ．２の出力スロット１２にはそれぞれビデオ出力基板６１が差し込まれており、スロット番号Ｎｏ．３の出力スロット１２にはオーディオ出力基板７１が差し込まれており、スロット番号Ｎｏ．４の出力スロット１２にはＴＣ出力基板８１が差し込まれている。【００６２】  図７の下段に示すように、ＣＰＵ１４は、ビデオ信号，オーディオ信号，タイムコード，ＲＳ−４２２規格の制御信号という４種類の信号毎に、それぞれ４個の入力スロット１１，出力スロット１２を有する「ビデオルーター」，「オーディオルーター」，「ＴＣルーター」，「ＲＳルーター」という４台のルーターを仮想的に設定する。（なお、この下段には、各仮想ルーターのスロットのうち図７の上段のように実際に当該種類の信号を入出力する基板が差し込まれている部分も特定して描いているが、仮想ルーターの設定処理自体は、各入力スロット１１，出力スロット１２にどの基板が差し込まれているかとは無関係に行われる。）【００６３】  「ビデオルーター」に���いては、図８に示すように、入力スロット１１のスロット番号Ｎｏ．１，Ｎｏ．２，Ｎｏ．３，Ｎｏ．４の順に、ビデオ入力基板２１の１６本の入力端子２３（図４）に連番で１〜１６，１７〜３２，３３〜４８，４９〜６４というように端子番号を付す。【００６４】  また、出力スロット１２のスロット番号Ｎｏ．１，Ｎｏ．２，Ｎｏ．３，Ｎｏ．４の順に、ビデオ出力基板６１の１６本の出力端子６３（図５）に連番で１〜１６，１７〜３２，３３〜４８，４９〜６４というように端子番号を付す。【００６５】  この端子番号の付与方法によって「ビデオルーター」の各スロット番号の入力スロット１１，出力スロット１２について付与される最小端子番号（スロットの先頭の端子番号）は、次の式の通りとなる（Ｎはスロット番号（“Ｎｏ．”の後の数字）である）。  最小端子番号：１６×（Ｎ−１）＋１【００６６】  そして、このようにして付与した端子番号のうち、ビデオ入力基板２１が差し込まれているスロット番号Ｎｏ．１，Ｎｏ．２の入力スロット１１についての端子番号１〜３２を有効な端子番号として扱い、ビデオ入力基板２１が差し込まれていないスロット番号Ｎｏ．３，Ｎｏ．４の入力スロット１１についての端子番号３３〜６４を無効な端子番号として扱う。【００６７】  同様に、ビデオ出力基板６１が差し込まれているスロット番号Ｎｏ．１，Ｎｏ．２の出力スロット１２についての端子番号１〜３２を有効な端子番号として扱い、ビデオ出力基板６１が差し込まれていないスロット番号Ｎｏ．３，Ｎｏ．４の出力スロット１２についての端子番号３３〜６４を無効な端子番号として扱う。【００６８】  「オーディオルーター」については、図９に示すように、入力スロット１１のスロット番号Ｎｏ．１，Ｎｏ．２，Ｎｏ．３，Ｎｏ．４の順に、オーディオ入力基板３１，オーディオ入力基板（ＵＢ）３２のうち入力端子数が多いほうのオーディオ入力基板３１の３２本の入力端子３４（図４）に連番で１〜３２，３３〜６４，６５〜９６，９７〜１２８というように端子番号を付す。【００６９】  また、出力スロット１２のスロット番号Ｎｏ．１，Ｎｏ．２，Ｎｏ．３，Ｎｏ．４の順に、オーディオ出力基板７１，オーディオ出力基板（ＵＢ）７２のうち出力端子数が多いほうのオーディオ出力基板７１の３２本の出力端子７４（図５）に連番で１〜３２，３３〜６４，６５〜９６，９７〜１２８というように端子番号を付す。【００７０】  この端子番号の付与方法によって「オーディオルーター」の各スロット番号の入力スロット１１，出力スロット１２について付与される最小端子番号は、次の式の通りとなる（Ｎはスロット番号である）。  最小端子番号：３２×（Ｎ−１）＋１【００７１】  そして、このようにして付与した端子番号のうち、オーディオ入力基板３１またはオーディオ入力基板（ＵＢ）３２が差し込まれているスロット番号Ｎｏ．３の入力スロット１１についての端子番号６５〜９６を有効な端子番号として扱い、オーディオ入力基板３１またはオーディオ入力基板（ＵＢ）３２が差し込まれていないスロット番号Ｎｏ．１，Ｎｏ．２，Ｎｏ．４の入力スロット１１についての端子番号１〜６４，９７〜１２８を無効な端子番号として扱う。【００７２】  同様に��オーディオ出力基板７１またはオーディオ出力基板（ＵＢ）７２が差し込まれているスロット番号Ｎｏ．３の出力スロット１２についての端子番号６５〜９６を有効な端子番号として扱い、オーディオ出力基板７１またはオーディオ出力基板（ＵＢ）７２が差し込まれていないスロット番号Ｎｏ．１，Ｎｏ．２，Ｎｏ．４の出力スロット１２についての端子番号１〜６４，９７〜１２８を無効な端子番号として扱う。【００７３】  なお、図７の例ではオーディオ入力基板（ＵＢ）３２やオーディオ出力基板（ＵＢ）７２は差し込まれていないが、これらの基板の入力端子３５（図４），出力端子７５は１６本なので、これらの基板が差し込まれているスロット番号の入力スロット１１や出力スロット１２については、１７番目〜３２番目の端子番号（スロット番号Ｎｏ．１の入力スロット１１や出力スロット１２の場合には端子番号１７〜３２、スロット番号Ｎｏ．２の入力スロット１１や出力スロット１２の場合には端子番号４９〜６４、スロット番号Ｎｏ．３の入力スロット１１や出力スロット１２の場合には端子番号８１〜９６、スロット番号Ｎｏ．４の入力スロット１１や出力スロット１２の場合には端子番号１１３〜１２８）は欠番として扱う。【００７４】  「ＴＣルーター」については、図１０に示すように、入力スロット１１のスロット番号Ｎｏ．１，Ｎｏ．２，Ｎｏ．３，Ｎｏ．４の順に、ＴＣ入力基板４１の１６本の入力端子４３（図４）に連番で１〜１６，１７〜３２，３３〜４８，４９〜６４というように端子番号を付す。【００７５】  また、出力スロット１２のスロット番号Ｎｏ．１，Ｎｏ．２，Ｎｏ．３，Ｎｏ．４の順に、ＴＣ出力基板８１の１６本の出力端子８３（図５）に連番で１〜１６，１７〜３２，３３〜４８，４９〜６４というように端子番号を付す。【００７６】  この端子番号の付与方法によって「ＴＣルーター」の各スロット番号の入力スロット１１，出力スロット１２について付与される最小端子番号は、次の式の通りとなる（Ｎはスロット番号である）。  最小端子番号：１６×（Ｎ−１）＋１【００７７】  そして、このようにして付与した端子番号のうち、ＴＣ入力基板４１が差し込まれているスロット番号Ｎｏ．４の入力スロット１１についての端子番号４９〜６４を有効な端子番号として扱い、ＴＣ入力基板４１が差し込まれていないスロット番号Ｎｏ．１〜Ｎｏ．３の入力スロット１１についての端子番号１〜４８を無効な端子番号として扱う。【００７８】  同様に、ＴＣ出力基板８１が差し込まれているスロット番号Ｎｏ．４の出力スロット１２についての端子番号４９〜６４を有効な端子番号として扱い、ＴＣ出力基板８１が差し込まれていないスロット番号Ｎｏ．１〜Ｎｏ．３の出力スロット１２についての端子番号１〜４８を無効な端子番号として扱う。【００７９】  「ＲＳルーター」については、図１１に示すように、入力スロット１１のスロット番号Ｎｏ．１，Ｎｏ．２，Ｎｏ．３，Ｎｏ．４の順に、ＲＳ−４２２基板５１の８本の入力端子５３（図４）に連番で１〜８，９〜１６，１７〜２４，２５〜３２というように端子番号を付す（但し、前述のようにＲＳ−４２２基板５１では８本の入力端子５３のうちの１本が未使用とされているので、ここ��は端子番号８，１６，２４，３２は欠番として扱う）。【００８０】  また、出力スロット１２のスロット番号Ｎｏ．１，Ｎｏ．２，Ｎｏ．３，Ｎｏ．４の順に、ＲＳ−４２２基板５１の８本の出力端子５３に連番で１〜８，９〜１６，１７〜２４，２５〜３２というように端子番号を付す（ＲＳ−４２２基板５１では出力端子５３も８本のうちの１本が未使用とされているので、ここでは端子番号８，１６，２４，３２は欠番として扱う）。【００８１】  この端子番号の付与方法によって「ＲＳルーター」の各スロット番号の入力スロット１１，出力スロット１２について付与される最小端子番号は、次の式の通りとなる（Ｎはスロット番号である）。  最小端子番号：８×（Ｎ−１）＋１、但し８×Ｎは欠番【００８２】  そして、図７の例ではＲＳ−４２２基板５１が差し込まれていないので、全てのスロット番号Ｎｏ．１〜Ｎｏ．４の入力スロット１１についての端子番号１〜３２と、全てのスロット番号Ｎｏ．１〜Ｎｏ．４の出力スロット１２についての端子番号１〜３２とを無効な端子番号として扱う。【００８３】  図１２は、図７とは別の基板の差し込み例に則して、「ビデオルーター」に付与された端子番号の有効・無効の区別を示す図である。この例では、スロット番号Ｎｏ．２，Ｎｏ．３，Ｎｏ．４の入力スロット１１にそれぞれビデオ入力基板２１が差し込まれている。また、スロット番号Ｎｏ．２，Ｎｏ．３の出力スロット１２にそれぞれビデオ出力基板６１が差し込まれている。したがって、スロット番号Ｎｏ．２〜Ｎｏ．４の入力スロット１１についての端子番号１７〜６４と、スロット番号Ｎｏ．２，Ｎｏ．３の出力スロット１２についての端子番号１７〜４８とが、有効な端子番号として扱われる。【００８４】  図１３は、さらに別の基板の差し込み例に則して、「オーディオルーター」に付与された端子番号の有効・無効の区別を示す図である。この例では、スロット番号Ｎｏ．２，Ｎｏ．４の入力スロット１１にそれぞれオーディオ入力基板３１が差し込まれるとともに、スロット番号Ｎｏ．３の入力スロット１１にオーディオ入力基板（ＵＢ）３２が差し込まれている。また、スロット番号Ｎｏ．２，Ｎｏ．３の出力スロット１２にそれぞれオーディオ出力基板７１が差し込まれている。したがって、スロット番号Ｎｏ．２〜Ｎｏ．４の入力スロット１１についての端子番号３３〜１２８と、スロット番号Ｎｏ．２，Ｎｏ．３の出力スロット１２についての端子番号３３〜９６とが、有効な端子番号として扱われる。また、スロット番号Ｎｏ．３の入力スロット１１についての端子番号６５〜９６のうちの端子番号８１〜９６は、欠番として扱われる。【００８５】  図１４は、さらに別の基板の差し込み例に則して、「ＲＳルーター」に付与された端子番号の有効・無効の区別を示す図である。この例では、スロット番号Ｎｏ．２〜Ｎｏ．４の入力スロット１１と、スロット番号Ｎｏ．２，Ｎｏ．３の出力スロット１２とにそれぞれＲＳ−４２２基板５１が差し込まれている。したがって、スロット番号Ｎｏ．２〜Ｎｏ．４の入力スロット１１についての端子番号９〜３２（但し１６，２４，３２は欠番として扱われる）と、スロット番号Ｎｏ．２，Ｎｏ．３の出力スロット１２について��端子番号９〜２４（但し１６，２４は欠番として扱われる）とが、有効な端子番号として扱われる。【００８６】
〔ユニットロケーション〕
図２のターミナルコンピュータ４による設定項目には、「ユニットロケーション」という項目が含まれている。これは、信号切替システム内の各ルーター（ここでは、ルーティングスイッチャ１Ａ内のルーター本体１と、ルーティングスイッチャ１Ｂ内のルーター本体１）の入出力端子の番号に対応して、それらのルーター全体よりも入力端子数及び出力端子数の多い空間内における異なる端子番号の領域を割り当てるものである。
【００８７】  各２次局は、このユニットロケーションによって割り当てられた空間内の端子番号の情報を保持し、この空間内の端子番号によって各ルーターの入出力端子を特定する。【００８８】  本発明の特徴として、ターミナルコンピュータ４は、ルーティングスイッチャ１Ａ，１Ｂ内の各ルーター本体１に対応するだけでなく、「ビデオルーター」，「オーディオルーター」，「ＴＣルーター」，「ＲＳルーター」という４台の仮想ルーター毎（ビデオ信号，オーディオ信号，タイムコード，ＲＳ−４２２規格の制御信号という４種類の信号を入出力する基板毎）に、この空間内における異なる端子番号の領域を割り当てる。【００８９】  図１５は、このユニットロケーションを例示する図である。ルーティングスイッチャ１Ａ内のルーター本体１が設定した「ビデオルーター」（「ビデオルーターＡ」とする）の入力端子番号１〜６４，出力端子番号１〜６４に対応して、入力端子数１０２４×出力端子数１０２４の空間内で、入力端子番号１１〜７４，出力端子番号１１〜７４の領域が割り当てられている。換言すれば、この空間内の入力端子番号１１〜７４，出力端子番号１１〜７４の領域では、「ビデオルーターＡ」の入力端子番号，出力端子番号に対するオフセット値が共に１０になっている。【００９０】  また、ルーティングスイッチャ１Ａ内のルーター本体１が設定した「オーディオルーター」（「オーディオルーターＡ」とする）の入力端子番号１〜１２８，出力端子番号１〜１２８に対応して、この空間内で、入力端子番号１１〜１３８，出力端子番号１０１〜２２８の領域が割り当てられている。換言すれば、この空間内の入力端子番号１１〜１３８，出力端子番号１０１〜２２８の領域では、「オーディオルーターＡ」の入力端子番号，出力端子番号に対するオフセット値がそれぞれ１０，１００になっている。【００９１】  また、ルーティングスイッチャ１Ａ内のルーター本体１が設定した「ＴＣルーター」（「ＴＣルーターＡ」とする）の入力端子番号１〜６４，出力端子番号１〜６４に対応して、この空間内で、入力端子番号１１〜７４，出力端子番号３０１〜３６４の領域が割り当てられている。換言すれば、この空間内の入力端子番号１１〜７４，出力端子番号３０１〜３６４の領域では、「ＴＣルーターＡ」の入力端子番号，出力端子番号に対するオフセット値がそれぞれ１０，３００になっている。【００９２】  また、ルーティングスイッチャ１Ａ内のルーター本体１が設定した「ＲＳルーター」（「ＲＳルーターＡ」とする）の入力端子番号１〜３２，出力端子番号１〜３２（８，１６，２４，３２は欠番）に対応して、この空間内で、入力端子番号１１〜４２，出力端子番号４０１〜４３２の領域が割り当てられている。換言すれば、この空間内の入力端子番号１１〜４２，出力端子番号４０１〜４３２の領域では、「ＲＳルーターＡ」の入力端子番号，出力端子番号に対するオフセット値がそれぞれ１０，４００になっている。【００９３】  他方、ルーティングスイッチャ１Ｂ内のルーター本体１が設定した「ビデオルーター」（「ビデオルーターＢ」とする）の入力端子番号１〜６４，出力端子番号１〜６４に対応して、この空間内で、入力端子番号５０１〜５６４，出��端子番号１１〜７４の領域が割り当てられている。換言すれば、この空間内の入力端子番号５０１〜５６４，出力端子番号１１〜７４の領域では、「ビデオルーターＢ」の入力端子番号，出力端子番号に対するオフセット値がそれぞれ５００，１０になっている。【００９４】  また、ルーティングスイッチャ１Ｂ内のルーター本体１が設定した「オーディオルーター」（「オーディオルーターＢ」とする）の入力端子番号１〜１２８，出力端子番号１〜１２８に対応して、この空間内で、入力端子番号５０１〜６２８，出力端子番号１０１〜２２８の領域が割り当てられている。換言すれば、この空間内の入力端子番号５０１〜６２８，出力端子番号１０１〜２２８の領域では、「オーディオルーターＢ」の入力端子番号，出力端子番号に対するオフセット値がそれぞれ５００，１００になっている。【００９５】  また、ルーティングスイッチャ１Ｂ内のルーター本体１が設定した「ＴＣルーター」（「ＴＣルーターＢ」とする）の入力端子番号１〜６４，出力端子番号１〜６４に対応して、この空間内で、入力端子番号５０１〜５６４，出力端子番号３０１〜３６４の領域が割り当てられている。換言すれば、この空間内の入力端子番号５０１〜５６４，出力端子番号３０１〜３６４の領域では、「ＴＣルーターＢ」の入力端子番号，出力端子番号に対するオフセット値がそれぞれ５００，３００になっている。【００９６】  また、ルーティングスイッチャ１Ｂ内のルーター本体１が設定した「ＲＳルーター」（「ＲＳルーターＢ」とする）の入力端子番号１〜３２，出力端子番号１〜３２（８，１６，２４，３２は欠番）に対応して、この空間内で、入力端子番号５０１〜５３２，出力端子番号４０１〜４３２の領域が割り当てられている。換言すれば、この空間内の入力端子番号５０１〜５３２，出力端子番号４０１〜４３２の領域では、「ＲＳルーターＢ」の入力端子番号，出力端子番号に対するオフセット値がそれぞれ５００，４００になっている。【００９７】  このように、「ビデオルーター」，「オーディオルーター」，「ＴＣルーター」，「ＲＳルーター」という４台の仮想ルーター毎に、入力端子数１０２４×出力端子数１０２４の空間内における異なる端子番号の領域が割り当てられる。そして、このユニットロケーションの設定結果のデータが、ターミナルコンピュータ４から、１次局を介して、２次局である各ルーター本体１，コントロールパネル２，タリーパネル３Ａ及び３Ｂに送られる。【００９８】  各２次局は、この設定結果のデータを内部のメモリに保持する。そして、例えばコントロールパネル２でルーター本体１の入力端子と出力端子との接続関係を切り替える操作が行われると、コントロールパネル２から、その入力端子，出力端子をこのユニットロケーションによる端子番号で特定する切り替えコマンドが、１次局を介してルーター本体１に送られる。【００９９】  〔コマンドの実行〕  ルーター本体１内のＣＰＵ１４は、上述のように入力端子，出力端子をユニットロケーションによる端子番号で特定する切り替えコマンドを受信すると、内部のメモリに保持したユニットロケーションの設定結果のデータを用いて、当該特定された端子番号を、当該端子番号を含む入力端子数１���２４×出力端子数１０２４の空間内の領域に対応する種類の仮想ルーターの入力端子，出力端子の端子番号に変換する。【０１００】  例えば、ルーティングスイッチャ１Ａ内のルーター本体１が、入力端子，出力端子をそれぞれユニットロケーションによる端子番号１１，５０で特定する切り替えコマンドを受信すると、このルーター本体１のＣＰＵ１４は、この端子番号１１，５０を、オフセット値（端子番号１１，５０を含むこの空間内の領域である入力端子番号１１〜７４，出力端子番号１１〜７４の領域（図１５）についてのオフセット値である１０，１０）を減算することにより、「ビデオルーターＡ」の入力端子，出力端子の端子番号１，４０に変換する。【０１０１】  また例えば、ルーティングスイッチャ１Ａ内のルーター本体１が、入力端子，出力端子をそれぞれユニットロケーションによる端子番号１１，１０６で特定する切り替えコマンドを受信すると、このルーター本体１のＣＰＵ１４は、この端子番号１１，１０６を、オフセット値（端子番号１１，１０６を含むこの空間内の領域である入力端子番号１１〜１３８，出力端子番号１０１〜２２８の領域（図１５）についてのオフセット値である１０，１００）を減算することにより、「オーディオルーター」の入力端子，出力端子の端子番号１，６に変換する。【０１０２】  ＣＰＵ１４は、このようにして変換した仮想ルーターの入力端子，出力端子の端子番号が、前述の〔端子番号の付与〕によって有効な端子番号として扱われているか否かの判断及び欠番として扱われているか否かの判断を行う。【０１０３】  そして有効な端子番号として扱われており且つ欠番として扱われていないと判断した場合にのみ、受信した切り替えコマンドに応じて、マトリクススイッチ回路１３（図３）によって入力端子と出力端子との接続関係を切り替える。【０１０４】  例えば、切り替えコマンドから変換した端子番号が「ビデオルーター」の入力端子，出力端子の端子番号１，４０であり、且つ、入力スロット１１，出力スロット１２に前出の図７の例のように基板が差し込まれているとする。その場合には、図８に示したように、「ビデオルーター」の端子番号のうち、入力スロット１１についての端子番号１は有効な端子番号であるが、出力スロット１２についての端子番号４０は無効な端子番号なので、受信した切り替えコマンドは実行されないことになる。【０１０５】  また例えば、切り替えコマンドから変換した端子番号が「オーディオルーター」の入力端子，出力端子の端子番号６５，７６であり、且つ、入力スロット１１，出力スロット１２に前出の図７の例のように基板が差し込まれているとする。その場合には、図９に示したように「オーディオルーター」の入力スロット１１についての端子番号６５と出力スロット１２についての端子番号７６とは、有効な端子番号であり且つ欠番ではないので、受信した切り替えコマンドが実行される。【０１０６】  また例えば、切り替えコマンドから変換した端子番号が「オーディオルーター」の入力端子，出力端子の端子番号９１，４０であり、且つ、入力スロット１１，出力スロット１２に前出の図１３の例のように基板が差し込まれているとする。その場合には、「オーディオルーター」の端子番号のうち、出力スロット１２についての端子番号４０は有効な端子番号であるが、入力スロット１１についての端子番号９１は欠番なので、受信した切り替えコマンドは実行されない。【０１０７】  以上のように、このルーター１では、入出力する信号の種類が異なる基板毎（ビデオルーター」，「オーディオルーター」，「ＴＣルーター」，「ＲＳルーター」という４台の仮想ルーター毎）に、入力スロット１１や出力スロット１２の番号順に連番で入力端子や出力端子に端子番号が付されるとともに、当該種類の基板が差し込まれているスロットについての端子番号のみが有効な端子番号として扱われる。【０１０８】  或るスロットに差し込まれている基板が別の種類の基板に交換された場合、これらの仮想ルーターでは、端子番号は変化することはなく、端子番号の有効／無効の扱いのみが変化する。したがって、このルーター１では、基板の交換によって端子番号が変化することはない。【０１０９】  さらに、このルーター１では、各仮想ルーターに対応して、ルーター１全体よりも入力端子数や出力端子数の多い空間（ユニットロケーションの空間）内における異なる端子番号の領域を示す情報が保持される。したがって、各仮想ルーターの端子番号は、この空間内では、互いに重複することはない。【０１１０】  そして、入力信号や出力信号をこの空間内の端子番号によって特定したコマンドを受信したことに基づき、この情報を用いて、当該特定された端子番号が、当該端子番号を含む領域に対応する仮想ルーターの端子番号に変換される。そして、当該変換された端子番号が、当該仮想ルーターにおいて有効な端子番号として扱われている場合（すなわち当該仮想ルーターにおける種類の基板が差し込まれているスロットについての端子番号である場合）にのみ、このコマンドに応じた処理が実行される。【０１１１】  これにより、基板の交換に影響されることなく、ルーター１全体として端子番号を管理して、本来或る機器に出力しようとしていた入力信号を当該機器に出力することができる。【０１１２】  さらに、このルーター１では、オーディオ信号という同じ種類の信号を入出力する基板として、オーディオ入力基板３１，オーディオ入力基板（ＵＢ）３２，オーディオ出力基板７１，オーディオ出力基板（ＵＢ）７２という端子数の異なる基板が併用されるが、そのうちの最も端子数の多い基板であるオーディオ入力基板３１，オーディオ出力基板７１の端子数を基準にして「オーディオルーター」の端子番号が付されるとともに、端子数の少ない基板であるオーディオ入力基板（ＵＢ）３２，オーディオ出力基板（ＵＢ）７２については、端子数が不足している部分の端子番号が欠番として扱われる。【０１１３】  そして、受信したコマンドによって特定された端子番号から変換された端子番号が「オーディオルーター」において欠番として扱われている場合には、このコマンドは実行されない。【０１１４】  これにより、オーディオ信号という同じ種類の信号を入出力する基板として、オーディオ入力基板３１，オーディオ入力基板（ＵＢ）３２，オーディオ出力基板７１，オーディオ出力基板（ＵＢ）７２という端子数の異なる基板が併用されるにもかかわらず、「オーディオ��ーター」の端子番号の管理を統一することができる。【０１１５】  そして、「ＲＳルーター」についてはＲＳ−４２２基板５１の未使用の入出力端子に対応する端子番号８，１６，２４，３２が欠番とされているが、仮に未使用の入出力端子が存在しないＲＳ−４２２基板がこのＲＳ−４２２基板５１と併用される場合にも、「オーディオルーター」におけるのと全く同様にして、「ＲＳルーター」の端子番号の管理を統一することができる。【０１１６】
なお、以上の例では、オーディオ信号という同じ種類の信号を入出力する基板として、オーディオ入力基板３１，オーディオ入力基板（ＵＢ）３２，オーディオ出力基板７１，オーディオ出力基板（ＵＢ）７２という端子数の異なる基板を併用することや、ＲＳ−４２２基板５１に未使用の入出力端子が存在することに対応して、仮想ルーターの端子番号に、欠番という概念を導入している。しかし、同じ種類の信号を入出力する基板として、端子数が同じ基板のみを使用し、且つ、基板に未使用の入出力端子が存在しないような場合には、この欠番の概念を導入することなく、仮想ルーターの端子番号を有効／無効の扱いのみで区別するようにしてもよい。
【０１１７】
また、以上の例では、マトリクススイッチ回路１３（図３）が、単一の基板上に、６４本の入力信号線と６４本の出力信号線とを交差させたものであるとして説明を行った。しかし、ルーターのマトリクススイッチ回路は、複数枚のマトリクス基板（一例として入力信号線３２本×出力信号線３２本の基板４枚）を組み合わせて構成され、且つ、搭載するマトリクス基板の枚数の選択がオプションとされる（最低限１枚の基板は用いられる）場合もある。そのような場合には、前述の〔コマンドの実行〕処理において、切り替えコマンドから変換した仮想ルーターの入力端子，出力端子の端子番号が、有効な端子番号として扱われているか否かの判断及び欠番として扱われているか否かの判断を行うとともに、その端子番号に対応するマトリクス基板がマトリクススイッチ回路１３に搭載されているか否かの判断を行い、有効・欠番でない・マトリクス基板が搭載されている、という条件が全て満たされている場合にのみ切り替えコマンドを実行するようにすればよい。
【０１１８】
また、以上の例では、ビデオ信号，オーディオ信号，タイムコード，ＲＳ−４２２規格の制御信号という４種類の信号を入出力するルーターに本発明を適用したが、このうちの一部の種類の信号（例えばビデオ信号，オーディオ信号，タイムコードの３種類のみ）を入出力するルーターや、これらとは異なる種類の信号（例えばＲＳ−４２２以外の通信規格による制御信号）を入出力するルーターにも本発明を適用してよいことはもちろんである。
【０１１９】
また、以上の例では、ルーターに本発明を適用している。しかし、本発明は、ルーター以外の信号処理システムであって、複数の入力スロット及び／または出力スロットを有し、各入力スロット及び／または出力スロットに、入力端子数の異なる複数種類の信号入力用基板及び／または出力端子数の異なる複数種類の信号出力用基板を抜き差し可能なシステムに対しても、以上に説明したのと同様にして適用することができる。
【図面の簡単な説明】
【０１２０】
【図１】従来のルーティングスイッチャにおける、基板の交換による端子番号の変化を例示する図である。
【図２】本発明を適用したルーティングスイッチャを含む信号切替システムの全体構成例を示す図である。
【図３】図２のルーティングスイッチャ内のルーター本体の構成を示す図である。
【図４】図３の入力スロット用の各種基板の端子を示す図である。
【図５】図３の出力スロット用の各種基板の端子を示す図である。
【図６】図３のマトリクススイッチ回路の構成を示す図である。
【図７】本発明による端子番号の付与処理を例示する図である。
【図８】本発明による端子番号の付与処理を例示する図である。
【図９】本発明による端子番号の付与処理を例示する図である。
【図１０】本発明による端子番号の付与処理を例示する図である。
【図１１】本発明による端子番号の付与処理を例示する図である。
【図１２】本発明による端子番号の付与処理を例示する図である。
【図１３】本発明による端子番号の付与処理を例示する図である。
【図１４】本発明による端子番号の付与処理を例示する図である。
【図１５】本発明によるユニットロケーションを例示する図である。
【符号の説明】
【０１２１】  １  ルーター本体、  １Ａ，１Ｂ  ルーティングスイッチャ、  ２  コントロールパネル、  ３Ａ，３Ｂ  タリーパネル、  ４  ターミナルコンピュータ、  ５  通信路、  １１  入力スロット、  １２  出力スロット、  １３  マトリクススイッチ回路、  １４  ＣＰＵ、  ２１  ビデオ入力基板、  ３１  オーディオ入力基板、  ３２  オーディオ入力基板（ＵＢ）、  ４１  ＴＣ入力基板、  ５１  ＲＳ−４２２基板、  ６１  ビデオ出力基板、  ７１  オーディオ出力基板、  ７２  オーディオ出力基板（ＵＢ）、  ８１  ＴＣ出力基板
【図１】
0004556835.tif 000002
【図２】
0004556835.tif 000003
【図３】
0004556835.tif 000004
【図４】
0004556835.tif 000005
【図５】
0004556835.tif 000006
【図６】
0004556835.tif 000007
【図７】
0004556835.tif 000008
【図８】
0004556835.tif 000009
【図９】
0004556835.tif 000010
【図１０】
0004556835.tif 000011
【図１１】
0004556835.tif 000012
【図１２】
0004556835.tif 000013
【図１３】
0004556835.tif 000014
【図１４】
0004556835.tif 000015
【図１５】
0004556835.tif 000016